(57)【要約】      （修正有）【課題】十分な冷却効果を得られるようにするとともに、糠処理を容易に行えるようにする。【解決手段】除糠網１４が設けられている精白室１０と、該精白室内に挿着されている精白ロール１８であって、該精白ロール内に気流通路２０が設けられ、その周壁に噴風孔２４が穿設されている精白ロール１０と、前記気流通路に連通する外気吸引口２９と、一端に前記除糠網１４が接続され、他端に通気性のある糠袋３５が連結されている、糠吸引ファン３４を有する糠吸排流路３２，３６と、を備えている。【選択図】図２
2010082604.tif 000002
【特許請求の範囲】
【請求項１】
除糠網が設けられている精白室と、
該精白室内に挿着されている精白ロールであって、該精白ロール内に気流通路が設けられ、その周壁に噴風孔が穿設されている精白ロールと、
前記気流通路に連通する外気吸引口と、
一端に前記除糠網が接続され、他端に通気性のある糠袋が連結されている、糠ファンを有する糠吸排流路と、
を備えていることを特徴とする精米機。
【請求項２】
前記糠袋の上部側には、周方向に伸びる開閉部連結手段と前記糠吸排流路に着脱される糠袋パイプとが設けられているとともに、前記糠袋は、排気スリットを有する糠箱に収納されることを特徴とする請求項１記載の精米機。
【請求項３】
前記糠箱は、固定手段を介して精米機フレームの糠箱収容部に保持され、前記糠箱収容部の上部側には排気スリットが配設されていることを特徴とする請求項２記載の精米機。
【請求項４】
前記糠吸排流路は、前記除糠網から前記糠ファンの入口に向かって下方に傾斜する糠吸引ホースを備えていることを特徴とする請求項１記載の精米機。
【請求項５】
前記糠箱は、平面視方形状に形成され、前記糠袋は前記糠箱と相似状に形成されていることを特徴とする請求項２記載の精米機。
【請求項６】
前記糠袋パイプは、前記糠袋を収容した糠箱が精米機フレームの糠箱収容部に着脱されると同時に、前記糠吸排流路に着脱されることを特徴とする請求項２記載の精米機。
【発明の詳細な説明】
【技術分野】
【０００１】
この発明は、原料を精白する精米機に関するものである。
【背景技術】
【０００２】
従来、次の様な精米機が用いられている（例えば、特許文献１、参照）。
中空状の主軸に装着されるとともに、該主軸内と連通する複数の噴風孔を周囲に穿設した精白回転子と、該精白回転子の周囲に設けた除糠網との間に形成された精白室と、本体部の機壁面に開閉蓋及び固定部によって密閉状に形成したケース体と、該ケース体内の上部位置に臨ませて配設した、前記精白室から延設される糠回収流路の排出側端部と、該排出側端部に対して着脱可能に接続する導入管を備えるとともに、糠と空気とを分離する通気性材質からなって前記ケース体内に装着した糠袋と、前記糠袋によって分離された空気を排風するとともに、前記ケース体内において前記排出側端部が配設された位置によも下方位置に配設した排風口と、該排風口と前記中空主軸の端部とを連通する空気通路の間に配設したファンと、を備えた精米機。
【０００３】
この精米機では、前記ファンが生成した空気は、前記空気流路をっとって中空主軸に流入し、その後噴風孔、精白室、糠回収流路、糠袋、排風口及び空気流路を通って前記ファンに戻り、精米機内を循環する。そのため、精白室内の原料は前記空気により冷却されるとともに、前記糠袋を通過する際に糠が分離されて空気のみが、前記中空状の主軸に送り込まれる。
【０００４】
【特許文献１】特許第３７１４４６４号公報
【発明の開示】
【発明が解決しようとする課題】
【０００５】
前記従来例には、次のような問題がある。
（１）中空状の主軸に送り込まれた空気は、精白室内を通るときに熱を吸収して温められるので、循環して再び前記主軸に送り込まれるときには、室温より高くなっている。そのため、十分な冷却効果を得られないことがある。
【０００６】
（２）糠袋内の糠は、糠回収流路に着脱される導入管から出入りするが、該導入管は小径であり、かつ、糠袋の上部に設けてあるので、糠の排出に時間がかかり面倒である。
【０００７】
この発明は、上記事情に鑑み、十分な冷却効果を得られるようにするとともに、糠処理を容易に行えるようにすることを目的とする。
【課題を解決するための手段】
【０００８】
この発明は、除糠網が設けられている精白室と、該精白室内に挿着されている精白ロールであって、該精白ロール内に気流通路が設けられ、その周壁に噴風孔が穿設されている精白ロールと、前記気流通路に連通する外気吸引口と、一端に前記除糠網が接続され、他端に通気性のある糠袋が連結されている、糠ファンを有する糠吸排流路と、を備えていることを特徴とする。
【０００９】
この発明の前記糠袋の上部側には、周方向に伸びる開閉部連結手段と前記糠吸排流路に着脱される糠袋パイプとが設けられているとともに、前記糠袋は、排気スリットを有する糠箱に収納されることを特徴とする。
【００１０】
この発明の前記糠箱は、固定手段を介して精米機フレームの糠箱収容部に保持され、前記糠箱収容部の上部側には排気スリットが配設されていることを特徴とする。
【００１１】
この発明の前記糠吸排流路は、前記除糠網から前記糠ファンの入口に向かって下方に傾斜する糠吸引ホースを備えていることを特徴とする。この発明の前記糠箱は、平面視方形状に形成され、前記糠袋は前記糠箱と相似状に形成されていることを特徴とする。この発明の前記糠袋パイプは、前記糠袋を収容した糠箱が精米機フレームの糠箱収容部に着脱されると同時に、前記糠吸排流路に着脱されることを特徴とする
【発明の効果】
【００１２】
この発明は、以上の様に構成したので、前記外気吸引口から外気が吸引されるので、前記気流通路には従来例よりも温度の低い外気、例えば、室温の空気、が流入する。そのため、従来例よりも冷却効果を向上させることができるので、美味な精米を得ることができる。
【００１３】
この発明の糠袋の上部側には、周方向に伸びる開閉部連結手段と前記糠吸排流路に着脱される糠袋パイプとが設けられていると共に、前記糠袋は、排気スリットを有する糠箱に収納されているので、精米機フレームから糠箱を抜き出すと、糠袋も同時に抜き出すことができる。
【００１４】
前記糠袋内に流入する糠と空気の混合気流は、空気のみが該糠袋の網目を通過して糠箱内に入り、排気スリットから機外に排出されるので、室内が汚れることはない。従って、きれいな環境下で作業を行うことができる。
前記糠袋は、開閉部連結手段をあけると、蓋体部と本体部とに分離され、大きく開口させることができるので、糠の取り出しを容易に行うことができる。
【００１５】
前記糠吸排流路は、前記除糠網から前記糠ファンの入口に向かって下方に傾斜する糠吸引ホースを備えているので、該糠吸排流路内に糠が滞留するのを防止することができる。
【発明を実施するための最良の形態】
【００１６】
この発明の第１実施の形態を図１〜図６により説明する。
精米機フレーム１の上部には、蓋体３を有するホッパ５が設けられ、該ホッパ5の下部には、レバー７の操作により摺動するシャッタ９が設けられている。
【００１７】
前記ホッパ５の下部は、落下筒を介して精白室１０に連結されている。精白室１０の外周には、除糠網１４が設けられ、また、その内部には主軸１６に連結された精白ロール１８が挿着されている。この精白ロール１８は、原料を圧送する送穀部と精米を行う精白部とを備えている。
【００１８】
前記精白ロール１８及び主軸１６の中心軸部は、中空状の気流通路２０になっている。前記主軸１６の一端には、プーリ２２が設けられ、該プーリ２２は電動機２６の駆動により回転する。この主軸１６の前記プーリ２２側端部は、密閉状の給気筒２５に包囲されており、該給気筒２５には外気吸引ホース２７に連結されている。前記給気筒２５内の主軸１６には、気体通路２０に連通する給気穴２８が穿設されている。前記吸引ホース２７は、精米機フレーム１に設けた外気吸引口２９に連結されている。
【００１９】
前記精白ロール１８の周壁には、前記気流通路２０と精白室１０とを連通させる噴風孔２４が複数個穿設されている。
除糠網１４の下部には、断面直角三角形状の集糠カバー３０が設けられ、該カバー３０の出口３０ａは、糠吸排流路の一部である糠吸引ホース３２を介して糠吸引ファン３４の入口３４ａに連結されている。この糠吸引ホース３２は、糠の滞留を防止するための前記入口３４ａ側が前記出口３０ａ側より低くなる様に傾斜している。
【００２０】
前記糠吸引ファン３４の出口３４ｂは、糠吸排流路の一部である糠排出ホース３６を介して糠袋３５の糠袋パイプ３７に連結されている。この糠排出ホース３６は水平状に配設されるが、糠の滞留を防止するために前記糠袋パイプ３７側が前記出口３４ｂ側より低くなる様に傾斜させても良い。前記糠吸引ファン３４の回転軸には、プーリ３８が設けられ、このプーリ３８は前記電動機２６の駆動により回転する。
【００２１】
糠袋３５は、通気性のある素材、例えば、ヒラ編み隙間（通気性の穴）が、０．１ｍｍ以下のＰＰクロス、を用いて形成されるが、この素材や網目の大きさとうは、必要に応じて適宜選択される。
なお、糠袋３５は、糠収容器として機能するほか、糠と空気とを分離するフイルタとしての機能も有する。
【００２２】
前記糠袋パイプ３７の一端部は、糠袋固定ヒモ４０により、糠袋３５の上部に固定されて、その他端部はホース継手４２を介して糠排出ホース３６に連結されている。前記糠排出ホース３６は、ホース固定板４４に支持され、該ホース継手４２にはシール漏れを防止するためのフエルトパッキン４６が設けられている。
【００２３】
糠袋３５の上部側には、糠袋パイプ３７の近傍を除いて、周方向にチャック４８が設けられている。このチャック４８は、開閉連結手段の一例であり、周方向に引っ張ると、前記糠袋パイプ近傍がヒンジ部３５ａとなり、該糠袋３５は、蓋体部３５ｂと本体部３５ｃとに分離され、糠袋３５を大きく開口させることができる。前記チャック４８の長さや配置位置等は、必要に応じて適宜選択することができる。
【００２４】
前記糠袋３５は、平面視方形状の糠箱５０に収納されている。前記糠箱５０の上部側の壁面には、複数の排気スリット５２が設けられ、その正面壁５０ａの下部側には、取手５４が設けられ、その背面壁５０ｂには、糠袋パイプ３７が挿入される装着穴が設けられている。前記正面壁５０ａの複数の排気スリット５２は横長に形成され、側面壁５０ｃの排気スリット５２は、縦長に形成されているが、これらのスリット５２の方向、大きさ、配置位置等は、必要に応じて適宜選択されている。
【００２５】
糠箱５０は、精米機フレーム１の糠箱収容部５６に出し入れ可能に収容されるが、この糠箱収容部５６の上部側面には、複数の排気スリット５８が設けられている。この排気スリット５８は前記糠箱５０の排気スリット５２と連通している。前記排気スリット５８は、縦長に形成されているが、その数、大きさ、位置等については必要に応じて適宜選択される。
【００２６】
前記糠箱収容部５６の側面には、前記糠箱５０の係止部５５に係合する掛け金（パッチン錠）６０が設けられている。前記パッチン錠６０は、固定手段の一例であり、該パッチン錠により糠箱５０は所定位置に固定される。なお、前記糠箱５０の固定手段として前記パッチン錠６０の代わりに、蝶番等を用いることもできる。
【００２７】
図において、６１は精迫力を調整する抵抗装置の調圧ダイヤル、６３は精白室内の白米を機外に排出する白米排出樋、６５はメンテナンス用扉、６７はキャスタ、６９はキャスタ67のストッパ、をそれぞれ示す。
【００２８】
次に、本実施形態の作動を説明する。
ホッパ５に原料、例えば、玄米を投入した後、電動機２６を起動すると、プーリ３８，２２が同期して回転するので、精白ローラ１８及び糠吸引ファン３４が回転する。
【００２９】
調圧ダイヤル６１で精白度を調整した後、レバー７を引いてホッパ５の出口を開けると、ホッパ５内の玄米が精白室１０内に落下し、精白ロール１８の送穀部により精白部側に送り込まれながら精白される。
【００３０】
糠吸引ファン３４の回転により糠吸引力が発生すると、外気吸引口２９から作業室内の空気Ａが外気吸引ホース２７、給気筒２５に入り、吸気穴２８から気流通路２０を通り、精白ロール１８を冷却しながら噴風孔２４から精白室１０内に噴出される。
【００３１】
精白室１０内に噴出した空気Ａは、精白室１０内の米に衝突し糠を洗い流すようにしながら、糠とともに除糠網１４を通って集糠カバー３０内に流入する。
【００３２】
前記糠を含む混合空気ＡＮは、糠吸引ファン３４により吸引されて糠吸引ホース３２内を降下し、該ファン３４の入口３４ａからファンケース内に入り、該ファン３４の出口３４ｂから糠排出ホース３６内に排出される。
【００３３】
そして、糠排出ホース３６内に排出された前記混合空気ＡＮは、糠袋パイプ３７を介して糠袋３５内に圧送されるとともに、混合空気ＮＡのうち、空気Ａだけが糠袋３５の網目を通って糠箱５０内に入る。該糠箱５０内に入った空気Ａは、排気スリット５２、精米機フレーム１の排気スリット５８を通って機外に排出される。この空気Ａは、糠を含まないきれいな気体であるので、作業室内を汚染させる恐れはない。
【００３４】
前記糠箱５０は、混合空気ＡＮが圧送される糠袋３５に押されるが、該糠箱５０は、パッチン錠６０により精米機フレーム１に固定されているので、精米作業に移動することはない。
【００３５】
精米作業終了後、電動機２６を停止させるとともに、バッチン錠６０を外す。そして、取手５４に手をかけ、糠箱５０を引き出すと、糠袋パイプ３７はホース継手４２から外れる。
【００３６】
前記糠袋３５を糠箱５０から引き抜きながら該糠箱５０から取り出す。
そして、チャック４８を周方向に引いて蓋体部３５ｂを開け、糠袋３５を大きく開口させ、糠を取り出し、糠袋３５内を空にする。
【００３７】
糠袋３５を糠箱５０から取り出した後、糠袋パイプ３７の付いた新しい糠袋３５を、糠箱５０内に収納し、該糠箱５０を精米機フレーム１の糠箱収容部５６に差し込んでパッチン錠６０をかけて、固定する。
この時、新しい糠袋を用いる代わりに、糠を取り出した前記糠袋を清掃し、該糠袋を糠箱５０に収納しても良いことは勿論である。
【００３８】
この発明の第2の実施形態を図７により説明するが、前記図1〜図6と同一図面符号は、その名称も機能も同一である。
この実施の形態と第1実施の形態との相違は、前記第1実施の形態は、一回通し式精米機（ワンパス）であるのに対し、本実施の形態は、循環式精米機である点である。
【００３９】
本実施形態の作動について説明する。
ホッパ５に原料、例えば、玄米を投入した後、電動機２６を起動すると、精白ローラ１８及び糠吸引ファン３４が回転する。
【００４０】
ホッパ５内の玄米は、精白室１０内に入り、精白ロール１８の送穀部により精白部側に送り込まれながら粒々摩擦により精白されながら前記ホッパ５内に戻る。この行程を繰り返し循環精米が行われる。
【００４１】
糠吸引ファン３４の回転により糠吸引力が発生すると、外気吸引口２９から作業室内の空気Ａが外気吸引ホース２７、給気筒２５に入り、該空気は、吸気穴２８から気流通路２０を通り、精白ロール１８を冷却しながら排気穴２８から精白室１０内に噴出される。
【００４２】
精白室１０内に噴出した空気Ａは、精白室１０内の米に衝突し糠を洗い流すようにしながら、糠とともに除糠網１４を通って集糠カバー３０内に流入する。
【００４３】
前記糠を含む混合空気ＡＮは、糠吸引ファン３４により吸引されて糠吸引ホース３２内を降下し、該ファン３４の入口からファンケース内に入り、該ファン３４の出口から糠排出ホース３６内に排出される。
【００４４】
そして、糠排出ホース３６内に排出された前記混合空気ＡＮは、糠袋パイプを介して糠袋３５内に圧送されるとともに、空気と糠の混合空気ＡＮのうち、空気Ａだけが糠袋３５の網目を通って糠箱５０内に入る。該糠箱５０内に入った空気Ａは、排気スリット、精米機フレーム１の排気スリットを通って機外に排出される。この空気Ａは、糠を含まないきれいな気体であるので、作業室内を汚染させる恐れはない。
【００４５】
この発明の実施形態は、上記に限定されるものではなく、例えば、次のようにすることもできる。
（１）外気吸引口にコンプレッサを接続し、空気を圧送すること。
【００４６】
（２）外気吸引口に冷却用気体を吸引させること。この冷却用気体として、室温より低い冷却空気や健康に害を与えない冷却ガス、等を用いること。
（３）前記開閉部連結手段として、チャック４８の代わりに、面ファスナ等を用いること。
（４）糠袋固定ヒモにより糠袋パイプを糠袋に固定する代わりに、糠袋と糠袋パイプとを一体に成形しても良い。
【図面の簡単な説明】
【００４７】
【図１】本発明の第１実施の形態を示す正面図である。
【図２】精米機フレームの正面壁を除去した状態を示す、一部断面正面図である。
【図３】図２の横断面図である。
【図４】図２の側面図である。
【図５】糠袋の一部断面正面図である。
【図６】糠箱の正面図である。
【図７】本発明の第２施の形態を示す一部断面正面図である。
【符号の説明】
【００４８】
１        精米機フレーム
１０      精白室
１４      除糠網
１８      精白ロール
２０      気体通路
２７      外気吸引ホース
３２      糠吸引ホース
３４      糠吸引ファン
３５      糠袋
３６      糠排出ホース
３７      糠袋パイプ
５０      糠箱
５２      排気スリット
５８      排気スリット
【図１】
2010082604.tif 000003
【図２】
2010082604.tif 000004
【図３】
2010082604.tif 000005
【図４】
2010082604.tif 000006
【図５】
2010082604.tif 000007
【図６】
2010082604.tif 000008
【図７】
2010082604.tif 000009